(57)【要約】  本発明は同期信号ブロックの伝送方法、装置、及び記憶媒体を開示し、該方法は、アンライセンス帯域においてＳＳＢを伝送する必要がある場合、ＳＳＢを伝送するための時間ウィンドウを追加することと、追加後の時間ウィンドウに基づいてＳＳＢの伝送を行うことと、等を含む。本発明に記載の案を適用することで、ＳＳＢの伝送成功率等を向上させることができる。
2021519009.tif 000002
【特許請求の範囲】
【請求項１】
同期信号ブロックの伝送方法であって、
アンライセンス帯域において同期信号ブロック（ＳＳＢ）を伝送する必要がある場合、前記ＳＳＢを伝送するための時間ウィンドウを追加することと、
追加後の時間ウィンドウに基づいてＳＳＢの伝送を行うことと、を含むことを特徴とする同期信号ブロックの伝送方法。
【請求項２】
前記ＳＳＢを伝送するための時間ウィンドウを追加することは、
元の所定時間長さの第１ＳＳＢ伝送ウィンドウの上に、前記所定時間長さの第２ＳＳＢ伝送ウィンドウを１つ追加することを含むことを特徴とする請求項１に記載の方法。
【請求項３】
前記第１ＳＳＢ伝送ウィンドウと前記第２ＳＳＢ伝送ウィンドウは同一の無線フレームに位置し、そしてそれぞれ前記無線フレームにおける異なる半フレームに位置し、
又は、前記第１ＳＳＢ伝送ウィンドウと前記第２ＳＳＢ伝送ウィンドウは隣接する２つの無線フレームに位置し、且つ隣接する２つの半フレームに位置することを特徴とする請求項２に記載の方法。
【請求項４】
前記第１ＳＳＢ伝送ウィンドウ及び前記第２ＳＳＢ伝送ウィンドウに現れた、同じ番号を有するＳＳＢの半フレーム指示は異なることを特徴とする請求項３に記載の方法。
【請求項５】
前記第１ＳＳＢ伝送ウィンドウと前記第２ＳＳＢ伝送ウィンドウ内のＳＳＢ候補伝送位置分布は一致し、
及び／又は、前記第１ＳＳＢ伝送ウィンドウと前記第２ＳＳＢ伝送ウィンドウ内のＳＳＢ実際伝送位置分布は一致することを特徴とする請求項２に記載の方法。
【請求項６】
前記ＳＳＢを伝送するための時間ウィンドウを追加することは、
元の所定時間長さの第１ＳＳＢ伝送ウィンドウ内において、前記ＳＳＢを伝送する時間ウィンドウを追加することを含むことを特徴とする請求項１に記載の方法。
【請求項７】
前記第１ＳＳＢ伝送ウィンドウ内において、前記ＳＳＢを伝送する時間ウィンドウを追加することは、
ＳＳＢ候補伝送位置の占有する第１時間ウィンドウの時間長さが前記第１ＳＳＢ伝送ウィンドウの時間長さの１／２以下であれば、前記第１時間ウィンドウの後に、前記第１時間ウィンドウの時間長さと同じの第２時間ウィンドウを１つ増設することを含むことを特徴とする請求項６に記載の方法。
【請求項８】
前記第２時間ウィンドウと前記第１時間ウィンドウ内のＳＳＢ候補伝送位置分布は一致し、
及び／又は、前記第２時間ウィンドウと前記第１時間ウィンドウ内のＳＳＢ実際伝送位置分布は一致することを特徴とする請求項７に記載の方法。
【請求項９】
前記第１ＳＳＢ伝送ウィンドウ内において、前記ＳＳＢを伝送する時間ウィンドウを追加することは、
ＳＳＢ候補伝送位置の占有する第１時間ウィンドウの時間長さは前記第１ＳＳＢ伝送ウィンドウの時間長さの１／２より大きく、しかし、ＳＳＢ実際伝送位置の占有する第３時間ウィンドウの時間長さは前記第１ＳＳＢ伝送ウィンドウの時間長さの１／２以下である場合、前記第３時間ウィンドウの後に、前記第３時間ウィンドウの時間長さと同じの第４時間ウィンドウを１つ増設することを含むことを特徴とする請求項６に記載の方法。
【請求項１０】
前記第３時間ウィンドウと前記第４時間ウィンドウ内のＳＳＢ候補伝送位置分布は一致し、
及び／又は、前記第３時間ウィンドウと前記第４時間ウィンドウ内のＳＳＢ実際伝送位置分布は一致することを特徴とする請求項９に記載の方法。
【請求項１１】
該方法は更に、追加された前記時間ウィンドウ内において伝送されるＳＳＢの、所定位置に対しての時間オフセットを端末に知らせることを含むことを特徴とする請求項６に記載の方法。
【請求項１２】
前記所定位置に対しての時間オフセットは、
前記第１ＳＳＢ伝送ウィンドウの所在する半フレーム開始位置に対しての時間オフセット、
又は、同じ番号を有するＳＳＢの時間位置に対しての時間オフセットを含むことを特徴とする請求項１１に記載の方法。
【請求項１３】
前記時間オフセットを端末に知らせることは、
前記ＳＳＢにおける物理ブロードキャストチャネル（ＰＢＣＨ）における予約されたビットを利用して前記時間オフセットを指示することを含むことを特徴とする請求項１１に記載の方法。
【請求項１４】
前記ＳＳＢを伝送するための時間ウィンドウを追加する前に、更に、
前記ＳＳＢを伝送するための時間ウィンドウを追加する必要があるかどうかを決定し、イエスである場合、前記ＳＳＢを伝送するための時間ウィンドウを追加し、そして端末に知らせることを含むことを特徴とする請求項１に記載の方法。
【請求項１５】
前記ＳＳＢを伝送するための時間ウィンドウを追加する必要があるかどうかを決定することは、
現在のチャネル負荷状況に基づいて、前記ＳＳＢを伝送するための時間ウィンドウを追加する必要があるかどうかを決定することを含むことを特徴とする請求項１４に記載の方法。
【請求項１６】
前記追加後の時間ウィンドウに基づいてＳＳＢの伝送を行うことは、
話す前に聞く（ＬＢＴ）のメカニズムに基づいて、追加後の時間ウィンドウに基づいてＳＳＢの伝送を行うことを含むことを特徴とする請求項１に記載の方法。
【請求項１７】
同期信号ブロックの伝送方法であって、
端末が、ネットワーク側により追加された、同期信号ブロック（ＳＳＢ）を伝送するための時間ウィンドウに基づいて、ＳＳＢの受信を行うことを含むことを特徴とする同期信号ブロックの伝送方法。
【請求項１８】
前記追加は、元の所定時間長さの第１ＳＳＢ伝送ウィンドウの上に、前記所定時間長さの第２ＳＳＢ伝送ウィンドウを１つ追加することを含むことを特徴とする請求項１７に記載の方法。
【請求項１９】
前記第１ＳＳＢ伝送ウィンドウと前記第２ＳＳＢ伝送ウィンドウは同一の無線フレームに位置し、そしてそれぞれ前記無線フレームにおける異なる半フレームに位置し、
又は、前記第１ＳＳＢ伝送ウィンドウと前記第２ＳＳＢ伝送ウィンドウは隣接する２つの無線フレームに位置し、且つ隣接する２つの半フレームに位置することを特徴とする請求項１８に記載の方法。
【請求項２０】
前記第１ＳＳＢ伝送ウィンドウ及び前記第２ＳＳＢ伝送ウィンドウに現れた、同じ番号を有するＳＳＢの半フレーム指示は異なることを特徴とする請求項１９に記載の方法。
【請求項２１】
前記第１ＳＳＢ伝送ウィンドウと前記第２ＳＳＢ伝送ウィンドウ内のＳＳＢ候補伝送位置分布は一致し、
及び／又は、前記第１ＳＳＢ伝送ウィンドウと前記第２ＳＳＢ伝送ウィンドウ内のＳＳＢ実際伝送位置分布は一致することを特徴とする請求項１８に記載の方法。
【請求項２２】
該方法は更に、前記第１ＳＳＢ伝送ウィンドウと前記第２ＳＳＢ伝送ウィンドウ内のＳＳＢ実際伝送位置分布が一致する場合、前記端末が、ネットワーク側が残り最小システム情報（ＲＭＳＩ）又は無線リソース制御（ＲＲＣ）シグナリングを介して知らせた前記第１ＳＳＢ伝送ウィンドウ内のＳＳＢ実際伝送位置に基づいて、前記第２ＳＳＢ伝送ウィンドウ内のＳＳＢ実際伝送位置を知ることを含むことを特徴とする請求項２１に記載の方法。
【請求項２３】
前記追加は、元の所定時間長さの第１ＳＳＢ伝送ウィンドウ内において、前記ＳＳＢを伝送する時間ウィンドウを追加することを含むことを特徴とする請求項１７に記載の方法。
【請求項２４】
該方法は更に、前記端末が、ネットワーク側に知らせた、追加された前記時間ウィンドウ内において伝送されるＳＳＢの、所定位置に対しての時間オフセットを取得することを含むことを特徴とする請求項２３に記載の方法。
【請求項２５】
前記所定位置に対しての時間オフセットは、
前記第１ＳＳＢ伝送ウィンドウの所在する半フレーム開始位置に対しての時間オフセット、
又は、同じ番号を有するＳＳＢの時間位置に対しての時間オフセットを含むことを特徴とする請求項２４に記載の方法。
【請求項２６】
該方法は更に、
前記端末が、ネットワーク側が前記ＳＳＢを伝送するための時間ウィンドウを追加する必要があるかどうかを決定した後に知らせた決定結果を取得することと、
決定結果がイエスである場合、追加後の時間ウィンドウに基づいてＳＳＢの受信を行い、
決定結果がノーである場合、元の時間ウィンドウに基づいてＳＳＢの受信を行うことと、を含むことを特徴とする請求項１７に記載の方法。
【請求項２７】
ネットワーク装置であって、拡張ユニット及び伝送ユニットを備え、
前記拡張ユニットは、アンライセンス帯域において同期信号ブロック（ＳＳＢ）を伝送する必要がある場合、前記ＳＳＢを伝送するための時間ウィンドウを追加することに用いられ、
前記伝送ユニットは、追加後の時間ウィンドウに基づいてＳＳＢの伝送を行うことに用いられることを特徴とするネットワーク装置。
【請求項２８】
前記拡張ユニットは、元の所定時間長さの第１ＳＳＢ伝送ウィンドウの上に、前記所定時間長さの第２ＳＳＢ伝送ウィンドウを１つ追加することを特徴とする請求項２７に記載のネットワーク装置。
【請求項２９】
前記第１ＳＳＢ伝送ウィンドウと前記第２ＳＳＢ伝送ウィンドウは同一の無線フレームに位置し、そしてそれぞれ前記無線フレームにおける異なる半フレームに位置し、
又は、前記第１ＳＳＢ伝送ウィンドウと前記第２ＳＳＢ伝送ウィンドウは隣接する２つの無線フレームに位置し、且つ隣接する２つの半フレームに位置することを特徴とする請求項２８に記載のネットワーク装置。
【請求項３０】
前記第１ＳＳＢ伝送ウィンドウ及び前記第２ＳＳＢ伝送ウィンドウに現れた、同じ番号を有するＳＳＢの半フレーム指示は異なることを特徴とする請求項２９に記載のネットワーク装置。
【請求項３１】
前記第１ＳＳＢ伝送ウィンドウと前記第２ＳＳＢ伝送ウィンドウ内のＳＳＢ候補伝送位置分布は一致し、
及び／又は、前記第１ＳＳＢ伝送ウィンドウと前記第２ＳＳＢ伝送ウィンドウ内のＳＳＢ実際伝送位置分布は一致することを特徴とする請求項２８に記載のネットワーク装置。
【請求項３２】
前記拡張ユニットは、元の所定時間長さの第１ＳＳＢ伝送ウィンドウ内において、前記ＳＳＢを伝送する時間ウィンドウを追加することを特徴とする請求項２７に記載のネットワーク装置。
【請求項３３】
ＳＳＢ候補伝送位置の占有する第１時間ウィンドウの時間長さが前記第１ＳＳＢ伝送ウィンドウの時間長さの１／２以下であれば、前記拡張ユニットは、前記第１時間ウィンドウの後に、前記第１時間ウィンドウの時間長さと同じの第２時間ウィンドウを１つ増設することを特徴とする請求項３２に記載のネットワーク装置。
【請求項３４】
前記第２時間ウィンドウと前記第１時間ウィンドウ内のＳＳＢ候補伝送位置分布は一致し、
及び／又は、前記第２時間ウィンドウと前記第１時間ウィンドウ内のＳＳＢ実際伝送位置分布は一致することを特徴とする請求項３３に記載のネットワーク装置。
【請求項３５】
ＳＳＢ候補伝送位置の占有する第１時間ウィンドウの時間長さは前記第１ＳＳＢ伝送ウィンドウの時間長さの１／２より大きく、しかし、ＳＳＢ実際伝送位置の占有する第３時間ウィンドウの時間長さは前記第１ＳＳＢ伝送ウィンドウの時間長さの１／２以下である場合、前記拡張ユニットは、前記第３時間ウィンドウの後に、前記第３時間ウィンドウの時間長さと同じの第４時間ウィンドウを１つ増設することを特徴とする請求項３２に記載のネットワーク装置。
【請求項３６】
前記第３時間ウィンドウと前記第４時間ウィンドウ内のＳＳＢ候補伝送位置分布は一致し、
及び／又は、前記第３時間ウィンドウと前記第４時間ウィンドウ内のＳＳＢ実際伝送位置分布は一致することを特徴とする請求項３５に記載のネットワーク装置。
【請求項３７】
前記伝送ユニットは更に、追加された前記時間ウィンドウ内において伝送されるＳＳＢの、所定位置に対しての時間オフセットを端末に知らせることに用いられることを特徴とする請求項３２に記載のネットワーク装置。
【請求項３８】
前記所定位置に対しての時間オフセットは、
前記第１ＳＳＢ伝送ウィンドウの所在する半フレーム開始位置に対しての時間オフセット、
又は、同じ番号を有するＳＳＢの時間位置に対しての時間オフセットを含むことを特徴とする請求項３７に記載のネットワーク装置。
【請求項３９】
前記伝送ユニットは前記ＳＳＢにおける物理ブロードキャストチャネル（ＰＢＣＨ）における予約されたビットを利用して前記時間オフセットを指示することを特徴とする請求項３７に記載のネットワーク装置。
【請求項４０】
前記拡張ユニットは更に、前記ＳＳＢを伝送するための時間ウィンドウを追加する必要があるかどうかを決定し、イエスである場合、前記ＳＳＢを伝送するための時間ウィンドウを追加し、そして端末に知らせることに用いられることを特徴とする請求項２７に記載のネットワーク装置。
【請求項４１】
前記拡張ユニットは現在のチャネル負荷状況に基づいて、前記ＳＳＢを伝送するための時間ウィンドウを追加する必要があるかどうかを決定することを特徴とする請求項４０に記載のネットワーク装置。
【請求項４２】
前記伝送ユニットは、話す前に聞く（ＬＢＴ）のメカニズムに基づいて、追加後の時間ウィンドウに基づいてＳＳＢの伝送を行うことを特徴とする請求項２７に記載のネットワーク装置。
【請求項４３】
端末装置であって、受信ユニットを備え、
前記受信ユニットは、ネットワーク側により追加された、同期信号ブロック（ＳＳＢ）を伝送するための時間ウィンドウに基づいて、ＳＳＢの受信を行うことに用いられることを特徴とする端末装置。
【請求項４４】
前記追加は、元の所定時間長さの第１ＳＳＢ伝送ウィンドウの上に、前記所定時間長さの第２ＳＳＢ伝送ウィンドウを１つ追加することを含むことを特徴とする請求項４３に記載の端末装置。
【請求項４５】
前記第１ＳＳＢ伝送ウィンドウと前記第２ＳＳＢ伝送ウィンドウは同一の無線フレームに位置し、そしてそれぞれ前記無線フレームにおける異なる半フレームに位置し、
又は、前記第１ＳＳＢ伝送ウィンドウと前記第２ＳＳＢ伝送ウィンドウは隣接する２つの無線フレームに位置し、且つ隣接する２つの半フレームに位置することを特徴とする請求項４４に記載の端末装置。
【請求項４６】
前記第１ＳＳＢ伝送ウィンドウ及び前記第２ＳＳＢ伝送ウィンドウに現れた、同じ番号を有するＳＳＢの半フレーム指示は異なることを特徴とする請求項４５に記載の端末装置。
【請求項４７】
前記第１ＳＳＢ伝送ウィンドウと前記第２ＳＳＢ伝送ウィンドウ内のＳＳＢ候補伝送位置分布は一致し、
及び／又は、前記第１ＳＳＢ伝送ウィンドウと前記第２ＳＳＢ伝送ウィンドウ内のＳＳＢ実際伝送位置分布は一致することを特徴とする請求項４４に記載の端末装置。
【請求項４８】
前記第１ＳＳＢ伝送ウィンドウと前記第２ＳＳＢ伝送ウィンドウ内のＳＳＢ実際伝送位置分布が一致する場合、前記受信ユニットは、ネットワーク側が残り最小システム情報（ＲＭＳＩ）又は無線リソース制御（ＲＲＣ）シグナリングを介して知らせた前記第１ＳＳＢ伝送ウィンドウ内のＳＳＢ実際伝送位置に基づいて、前記第２ＳＳＢ伝送ウィンドウ内のＳＳＢ実際伝送位置を知ることを特徴とする請求項４７に記載の端末装置。
【請求項４９】
前記追加は、元の所定時間長さの第１ＳＳＢ伝送ウィンドウ内において、前記ＳＳＢを伝送する時間ウィンドウを追加することを含むことを特徴とする請求項４３に記載の端末装置。
【請求項５０】
前記受信ユニットは更に、ネットワーク側に知らせた、追加された前記時間ウィンドウ内において伝送されるＳＳＢの、所定位置に対しての時間オフセットを取得することに用いられることを特徴とする請求項４９に記載の端末装置。
【請求項５１】
前記所定位置に対しての時間オフセットは、
前記第１ＳＳＢ伝送ウィンドウの所在する半フレーム開始位置に対しての時間オフセット、
又は、同じ番号を有するＳＳＢの時間位置に対しての時間オフセットを含むことを特徴とする請求項５０に記載の端末装置。
【請求項５２】
前記端末装置は更に、取得ユニットを備え、
前記取得ユニットは、ネットワーク側が前記ＳＳＢを伝送するための時間ウィンドウを追加する必要があるかどうかを決定した後に知らせた決定結果を取得することに用いられ、
決定結果がイエスである場合、前記受信ユニットは、追加後の時間ウィンドウに基づいてＳＳＢの受信を行い、
決定結果がノーである場合、前記受信ユニットは、元の時間ウィンドウに基づいてＳＳＢの受信を行うことを特徴とする請求項４３に記載の端末装置。
【請求項５３】
メモリ、プロセッサ、及び前記メモリに記憶され前記プロセッサにおいて実行できるコンピュータプログラムを備えるコンピュータ装置であって、前記プロセッサが前記プログラムを実行する時、請求項１〜２６のいずれか１項に記載の方法が実現されることを特徴とするコンピュータ装置。
【請求項５４】
コンピュータプログラムが記憶されるコンピュータ可読記憶媒体であって、前記プログラムがプロセッサによって実行される時、請求項１〜２６のいずれか１項に記載の方法が実現されることを特徴とするコンピュータ可読記憶媒体。
【発明の詳細な説明】
【技術分野】
【０００１】
本発明は無線ネットワーク技術に関し、特に、同期信号ブロックの伝送方法、装置、及び記憶媒体に関する。
【背景技術】
【０００２】
５Ｇシステムでは、プライマリ同期信号（ＰＳＳ、Ｐｒｉｍａｒｙ  Ｓｙｎｃｈｒｏｎｉｚａｔｉｏｎ  Ｓｉｇｎａｌ）、セカンダリ同期信号（ＳＳＳ、Ｓｅｃｏｎｄａｒｙ  Ｓｙｎｃｈｒｏｎｉｚａｔｉｏｎ  Ｓｉｇｎａｌ）、及び物理ブロードキャストチャネル（ＰＢＣＨ、Ｐｈｙｓｉｃａｌ  Ｂｒｏａｄｃａｓｔ  Ｃｈａｎｎｅｌ）が一緒に同期信号ブロック（ＳＳＢ、Ｓｙｎｃｈｒｏｎｉｚａｔｉｏｎ  Ｓｉｇｎａｌ  Ｂｌｏｃｋ）を構成する。
【０００３】
ＳＳＢは周期的な伝送を採用し、ＳＳＢの伝送周期内では、ＳＳＢは５ｍｓの伝送ウィンドウ内に制限され、伝送できるＳＳＢの最大数はＬであり、動作周波数帯域によって、Ｌの値も異なる。例えば、３ＧＨｚより小さい動作周波数帯域の場合、Ｌの値は４であり、３ＧＨｚ〜６ＧＨｚの動作周波数帯域の場合、Ｌの値は８であり、６ＧＨｚ〜５２．６ＧＨｚの動作周波数帯域の場合、Ｌの値は６４である。
【０００４】
５ｍｓの伝送ウィンドウ内では、異なるサブキャリア間隔（ＳＣＳ、Ｓｕｂｃａｒｒｉｅｒ  Ｓｐａｃｉｎｇ）及び異なる動作周波数帯域に対して、ＳＳＢのタイムスロット分布も異なる。図１は既存の異なるサブキャリア間隔及び異なる動作周波数帯域におけるＳＳＢのタイムスロット分布の模式図である。図１に示すように、サブキャリア間隔がそれぞれ１５ＫＨｚと３０ＫＨｚであり、Ｌがそれぞれ４と８である場合のタイムスロット分布情況が示され、サブキャリア間隔が１５ＫＨｚであり、Ｌ＝４である場合を例とすると、この４つのＳＳＢは２ｍｓ以内に分布し、各１ｍｓ内に最大２つのＳＳＢが分布する。
【０００５】
それに対応して、図２は既存のサブキャリア間隔がそれぞれ１５ＫＨｚと３０ＫＨｚである場合の、１つのタイムスロット内のＳＳＢ候補伝送位置分布の模式図である。
【０００６】
現在の５Ｇ  ＮＲ技術では、アンライセンス（ｕｎｌｉｃｅｎｓｅｄ）帯域において、キャリア感知多重アクセス／衝突検出方式（ＣＳＭＡ／ＣＤ、Ｃａｒｒｉｅｒ  Ｓｅｎｓｅ  Ｍｕｌｔｉｐｌｅ  Ａｃｃｅｓｓ／Ｃｏｌｌｉｓｉｏｎ  Ｄｅｔｅｃｔｉｏｎ）及びキャリア感知多重アクセス／衝突回避方式（ＣＳＭＡ／ＣＡ、Ｃａｒｒｉｅｒ  Ｓｅｎｓｅ  Ｍｕｌｔｉｐｌｅ  Ａｃｃｅｓｓ／Ｃｏｌｌｉｓｉｏｎ  Ａｖｏｉｄａｎｃｅ）を採用でき、送信ノードは信号を送信する前に、話す前に聞く（ＬＢＴ、Ｌｉｓｔｅｎ  Ｂｅｆｏｒｅ  Ｔａｌｋ）のメカニズムを利用してチャネル感知を行い、チャネルがアイドル状態であるかどうかを判断することができる。
【０００７】
例えば、アンライセンス帯域において、ネットワーク装置が端末に信号を送信する必要がある場合、アンライセンス帯域のキャリアに対してリッスンを行う必要があり、具体的に実現する時、ネットワーク装置はリッスンする前にまず乱数を生成してもよく、生成された乱数に対応する時間範囲内で、もしずっとキャリアがアイドル状態であることをリッスンできれば、信号を送信でき、又は、ネットワーク装置は、信号を送信する前の１つの所定時間長さの時間ウィンドウ内においてキャリアをリッスンし、該時間ウィンドウ内においてキャリアがアイドル状態であることをリッスンできれば、信号を送信できる。
【０００８】
ＬＢＴのメカニズムに基づいて、１つのＳＳＢ伝送周期内の５ｍｓ伝送ウィンドウにおいて、もしネットワーク装置がＳＳＢを送信する前にキャリアがアイドル状態であることをリッスンできなければ、ＳＳＢの送信は成功できなく、これにより、ＳＳＢの伝送成功率が低下する。
【発明の概要】
【発明が解決しようとする課題】
【０００９】
このため、本発明は同期信号ブロックの伝送方法、装置、及び記憶媒体を提供する。
【課題を解決するための手段】
【００１０】
具体的な技術案は以下の通りである。
【００１１】
同期信号ブロックの伝送方法であって、
アンライセンス帯域においてＳＳＢを伝送する必要がある場合、前記ＳＳＢを伝送するための時間ウィンドウを追加することと、
追加後の時間ウィンドウに基づいてＳＳＢの伝送を行うことと、を含む同期信号ブロックの伝送方法。
【００１２】
同期信号ブロックの伝送方法であって、
端末は、ネットワーク側により追加された、ＳＳＢを伝送するための時間ウィンドウに基づいて、ＳＳＢの受信を行うことを含む同期信号ブロックの伝送方法。
【００１３】
ネットワーク装置であって、拡張ユニット及び伝送ユニットを備え、
前記拡張ユニットは、アンライセンス帯域においてＳＳＢを伝送する必要がある場合、前記ＳＳＢを伝送するための時間ウィンドウを追加することに用いられ、
前記伝送ユニットは、追加後の時間ウィンドウに基づいてＳＳＢの伝送を行うことに用いられるネットワーク装置。
【００１４】
端末装置であって、受信ユニットを備え、
前記受信ユニットは、ネットワーク側により追加された、ＳＳＢを伝送するための時間ウィンドウに基づいて、ＳＳＢの受信を行うことに用いられる。
【００１５】
コンピュータ装置であって、メモリ、プロセッサ、及び前記メモリに記憶され前記プロセッサにおいて実行できるコンピュータプログラムを備え、前記プロセッサが前記プログラムを実行する時、上記のような方法が実現されるコンピュータ装置。
【００１６】
コンピュータ可読記憶媒体であって、コンピュータプログラムが記憶され、前記プログラムがプロセッサによって実行される時、上記のような方法が実現されるコンピュータ可読記憶媒体。
【００１７】
上記の説明から分かるように、本発明の上記案では、アンライセンス帯域においてＳＳＢを伝送する必要がある場合、まずＳＳＢを伝送するための時間ウィンドウを追加してもよく、その後、追加後の時間ウィンドウに基づいてＳＳＢの伝送を行ってもよく、ＳＳＢを伝送するための時間ウィンドウを追加することによって、ＳＳＢの伝送チャンスを増やし、これにより、ＳＳＢの伝送成功率等を向上させる。
【図面の簡単な説明】
【００１８】
【図１】図１は既存の異なるサブキャリア間隔及び異なる動作周波数帯域におけるＳＳＢのタイムスロット分布の模式図である。
【図２】図２は既存のサブキャリア間隔がそれぞれ１５ＫＨｚと３０ＫＨｚである場合の、１つのタイムスロット内のＳＳＢ候補伝送位置分布の模式図である。
【図３】図３は、本発明のＳＳＢ伝送方法の実施例のフローチャートである。
【図４】図４は本発明に記載の第１ＳＳＢ伝送ウィンドウと第２ＳＳＢ伝送ウィンドウの模式図である。
【図５】図５は本発明に記載の第１時間ウィンドウと第２時間ウィンドウの模式図である。
【図６】図６は、本発明に記載のネットワーク装置の実施例の構成構造の模式図である。
【図７】図７は、本発明に記載の端末装置の実施例の構成構造の模式図である。
【図８】図８は本発明の実施形態を実現することに適用される、例示的なコンピュータシステム／サーバ１２のブロック図を示す。
【発明を実施するための形態】
【００１９】
本発明の技術案をより明確に、明瞭にするために、以下は添付図面を参照しながら実施例を挙げ、本発明に記載の案を更に説明する。
【００２０】
明らかに、ここに説明する実施例は、本発明の一部の実施例であり、全部の実施例ではない。本発明における実施例に基づいて、当業者が創造的な労働をすることなく獲得した他の全ての実施例は、いずれも本発明の保護する範囲に属する。
【００２１】
図３は、本発明のＳＳＢ伝送方法の実施例のフローチャートである。図３に示すように、以下の具体的な実現方式を含む。
【００２２】
３０１では、アンライセンス帯域においてＳＳＢを伝送する必要がある場合、ＳＳＢを伝送するための時間ウィンドウを追加する。
【００２３】
３０２では、追加後の時間ウィンドウに基づいてＳＳＢの伝送を行う。
【００２４】
上記実施例の実行主体はネットワーク装置であってもよい。
【００２５】
上記実施例では、ＳＳＢを伝送するための時間ウィンドウを追加することによって、ＳＳＢの伝送チャンスを増やし、これにより、既存技術における、アンライセンス帯域においてネットワーク装置がＳＳＢを送信する前にキャリアをリッスンする必要があるため、１つのＳＳＢ伝送周期内においてＳＳＢ伝送が成功できないという問題を解決し又は緩和させ、ＳＳＢの伝送成功率等を向上させる。
【００２６】
本実施例は２つの具体的な実現方式を提供し、以下それぞれ説明する。
【００２７】
一）方式１
元の所定時間長さの第１ＳＳＢ伝送ウィンドウの上に、同じ時間長さの第２ＳＳＢ伝送ウィンドウを１つ追加する。
【００２８】
元の所定時間長さの第１ＳＳＢ伝送ウィンドウは即ち既存の５ｍｓのＳＳＢ伝送ウィンドウであり、既存の５ｍｓのＳＳＢ伝送ウィンドウの上に、更に１つの５ｍｓのＳＳＢ伝送ウィンドウを追加できる。区別するために、既存の５ｍｓのＳＳＢ伝送ウィンドウを第１ＳＳＢ伝送ウィンドウと呼び、追加の５ｍｓのＳＳＢ伝送ウィンドウを第２ＳＳＢ伝送ウィンドウと呼ぶ。
【００２９】
第１ＳＳＢ伝送ウィンドウと第２ＳＳＢ伝送ウィンドウは同一の無線フレームに位置してもよく、そしてそれぞれ該無線フレームにおける異なる半フレームに位置する。
【００３０】
既存の方式では、第１ＳＳＢ伝送ウィンドウは無線フレームにおける前半フレーム又は後半フレームに位置してもよく、もし第１ＳＳＢ伝送ウィンドウが前半フレームに位置する場合、第２ＳＳＢ伝送ウィンドウは後半フレームに位置してもよく、もし第１ＳＳＢ伝送ウィンドウが後半フレームに位置する場合、第２ＳＳＢ伝送ウィンドウは前半フレームに位置してもよい。
【００３１】
又は、第１ＳＳＢ伝送ウィンドウと第２ＳＳＢ伝送ウィンドウは隣接する２つの無線フレームに位置し、且つ、隣接する２つの半フレームに位置する。
【００３２】
例えば、第１ＳＳＢ伝送ウィンドウと第２ＳＳＢ伝送ウィンドウはそれぞれ無線フレームａと無線フレームａ’に位置し、無線フレームａと無線フレームａ’は隣接する無線フレームであり、第１ＳＳＢ伝送ウィンドウは無線フレームａにおける後半フレームに位置し、第２ＳＳＢ伝送ウィンドウは無線フレームａ’における前半フレームに位置する。
【００３３】
好ましくは、第１ＳＳＢ伝送ウィンドウ及び第２ＳＳＢ伝送ウィンドウに現れた、同じ番号を有するＳＳＢの半フレーム指示は異なり、他の指示はいずれも同じである。
【００３４】
尚、第１ＳＳＢ伝送ウィンドウと第２ＳＳＢ伝送ウィンドウ内のＳＳＢ候補伝送位置分布は一致し、及び／又は、第１ＳＳＢ伝送ウィンドウと第２ＳＳＢ伝送ウィンドウ内のＳＳＢ実際伝送位置分布は一致する。すなわち、第１ＳＳＢ伝送ウィンドウと第２ＳＳＢ伝送ウィンドウ内のＳＳＢ候補伝送位置分布は一致してもよく、又は、第１ＳＳＢ伝送ウィンドウと第２ＳＳＢ伝送ウィンドウ内のＳＳＢ実際伝送位置分布は一致し、又は、第１ＳＳＢ伝送ウィンドウと第２ＳＳＢ伝送ウィンドウ内のＳＳＢ候補伝送位置分布は一致し、且つ、第１ＳＳＢ伝送ウィンドウと第２ＳＳＢ伝送ウィンドウ内のＳＳＢ実際伝送位置分布は一致し、即ち、第２ＳＳＢ伝送ウィンドウと第１ＳＳＢ伝送ウィンドウとは完全に一致する。
【００３５】
前述のように、Ｌは１つのＳＳＢ伝送周期内に伝送できるＳＳＢの最大数であり、ＳＳＢ候補伝送位置は即ちＬに従って設定されたものであり、しかし、実際の応用において、伝送対象のＳＳＢ数はＬより小さい可能性が十分にあり、そうすると、ＳＳＢ候補伝送位置から一部を選択してＳＳＢ実際伝送位置とする必要があり、如何に選択するかは既存技術である。
【００３６】
既存技術では、ネットワーク装置は、残り最小システム情報（ＲＭＳＩ、Ｒｅｍａｉｎｉｎｇ  Ｍｉｎｉｍｕｍ  Ｓｙｓｔｅｍ  Ｉｎｆｒｏｍａｔｉｏｎ）又は無線リソース制御（ＲＲＣ、Ｒａｄｉｏ  Ｒｅｓｏｕｒｃｅ  Ｃｏｎｔｒｏｌ）シグナリングを介して、ＳＳＢ実際伝送位置を端末に知らせ、それによって、端末が、ネットワーク装置がどの位置でＳＳＢを伝送するかを知り、そして相応の処理等を行うことができるようにする。分布が一致するため、端末はネットワークに知らせた第１ＳＳＢ伝送ウィンドウ内のＳＳＢ実際伝送位置に基づいて、追加された第２ＳＳＢ伝送ウィンドウ内のＳＳＢ実際伝送位置を知ることができる。
【００３７】
図４は本発明に記載の第１ＳＳＢ伝送ウィンドウと第２ＳＳＢ伝送ウィンドウの模式図である。図４に示すように、仮に動作周波数帯域は３ＧＨｚ〜６ＧＨｚであり、サブキャリア間隔は１５ＫＨｚであり、Ｌ＝８であり、そして仮に第１ＳＳＢ伝送ウィンドウは１つの無線フレームの前半フレームに位置する場合、第２ＳＳＢ伝送ウィンドウは該無線フレームの後半フレームに位置し、そして第２ＳＳＢ伝送ウィンドウと第１ＳＳＢ伝送ウィンドウ内のＳＳＢ候補伝送位置分布及びＳＳＢ実際伝送位置分布はいずれも一致する。
【００３８】
ネットワーク装置は既存のＬＢＴメカニズムに基づいて、追加後の時間ウィンドウに基づいてＳＳＢの伝送を行ってもよい。
【００３９】
具体的に、まず第１ＳＳＢ伝送ウィンドウ内のＳＳＢ実際伝送位置において送信試行を行ってもよく、仮に伝送対象のＳＳＢは２つであり、それぞれ、ＳＳＢ１とＳＳＢ２であり、ＳＳＢ１の伝送が成功し、ＳＳＢ２の伝送が成功していない場合、引き続き第２ＳＳＢ伝送ウィンドウ内のＳＳＢ実際伝送位置において送信試行を行ってもよい。例えば、ＳＳＢ２に対応するＳＳＢ実際伝送位置においてＳＳＢ２の送信試行を行い、又は、それぞれＳＳＢ１とＳＳＢ２に対応するＳＳＢ実際伝送位置において、それぞれＳＳＢ１とＳＳＢ２の送信試行を行ってもよく、具体的な実現方式は制限されない。これにより、各ＳＳＢにとって、いずれも伝送チャンスが１倍増加し、それによって、ＳＳＢの伝送成功率を向上させる。
【００４０】
尚、ＳＳＢを伝送するための時間ウィンドウを追加する前に、ネットワーク装置は更にＳＳＢを伝送するための時間ウィンドウを追加する必要があるかどうかをまず決定してもよく、イエスである場合、ＳＳＢを伝送するための時間ウィンドウを追加する。
【００４１】
ネットワーク装置は更に決定結果を端末に知らせる必要があり、例えば、ブロードキャスト情報を介して端末に知らせる。決定結果が「イエス」である場合、端末は追加後の時間ウィンドウに基づいてＳＳＢの受信を行ってもよく、決定結果が「ノー」である場合、端末は元の時間ウィンドウに基づいてＳＳＢの受信を行ってもよく、例えば、セル検出、セルの時間周波数同期、セルの測定等を行う。
【００４２】
ネットワーク装置は現在のチャネル負荷状況に基づいて、ＳＳＢを伝送するための時間ウィンドウを追加する必要があるかどうかを決定してもよい。例えば、ネットワーク装置は一定時間のチャネルリッスン情況に基づいて、該一定時間のチャネルリッスンの成功率が比較的に高いと知れば、キャリア上のシステム負荷が比較的に低いと判定でき、そうすると、第２ＳＳＢ伝送ウィンドウを追加しなくてもよく、逆に、該一定時間のチャネルリッスンの成功率が比較的に低い場合、キャリア上のシステム負荷が比較的に高いと判定でき、そうすると、第２ＳＳＢ伝送ウィンドウを追加する。
【００４３】
二）方式２
元の所定時間長さの第１ＳＳＢ伝送ウィンドウ内において、ＳＳＢを伝送する時間ウィンドウを追加する。
【００４４】
元の所定時間長さの第１ＳＳＢ伝送ウィンドウは即ち既存の５ｍｓのＳＳＢ伝送ウィンドウであり、第１ＳＳＢ伝送ウィンドウ内において、ＳＳＢを伝送する時間ウィンドウを追加してもよい。第１ＳＳＢ伝送ウィンドウ内において、ＳＳＢはフローティング（ｆｌｏａｔｉｎｇ）の伝送方式を採用する。
【００４５】
例えば、ＳＳＢ候補伝送位置の占有する第１時間ウィンドウの時間長さが第１ＳＳＢ伝送ウィンドウの時間長さの１／２以下であれば、第１時間ウィンドウの後に、第１時間ウィンドウの時間長さと同じの第２時間ウィンドウを１つ増設してもよい。
【００４６】
第２時間ウィンドウと第１時間ウィンドウ内のＳＳＢ候補伝送位置分布は一致し、及び／又は、第２時間ウィンドウと第１時間ウィンドウ内のＳＳＢ実際伝送位置分布は一致する。好ましくは、第２時間ウィンドウと第１時間ウィンドウ内のＳＳＢ候補伝送位置分布は一致し、且つ、第２時間ウィンドウと第１時間ウィンドウ内のＳＳＢ実際伝送位置分布は一致する。
【００４７】
図５は本発明に記載の第１時間ウィンドウと第２時間ウィンドウの模式図である。図５に示すように、仮にサブキャリア間隔は１５ＫＨｚであり、Ｌ＝４であり、ＳＳＢ候補伝送位置の占有する第１時間ウィンドウの時間長さは２ｍｓである場合、第１時間ウィンドウの後に、時間長さが２ｍｓである第２時間ウィンドウを１つ増設してもよい。
【００４８】
更に例えば、ＳＳＢ候補伝送位置の占有する第１時間ウィンドウの時間長さは第１ＳＳＢ伝送ウィンドウの時間長さの１／２より大きく、しかし、ＳＳＢ実際伝送位置の占有する第３時間ウィンドウの時間長さは第１ＳＳＢ伝送ウィンドウの時間長さの１／２以下である場合、第３時間ウィンドウの後に、第３時間ウィンドウの時間長さと同じの第４時間ウィンドウを１つ増設してもよい。
【００４９】
第３時間ウィンドウと第４時間ウィンドウ内のＳＳＢ候補伝送位置分布は一致し、及び／又は、第３時間ウィンドウと第４時間ウィンドウ内のＳＳＢ実際伝送位置分布は一致する。好ましくは、第３時間ウィンドウと第４時間ウィンドウ内のＳＳＢ候補伝送位置分布は一致し、且つ、第３時間ウィンドウと第４時間ウィンドウ内のＳＳＢ実際伝送位置分布は一致する。
【００５０】
仮にサブキャリア間隔は１５ＫＨｚであり、Ｌ＝８であり、ＳＳＢ候補伝送位置の占有する第１時間ウィンドウの時間長さは４ｍｓであり、しかし、ＳＳＢ実際伝送位置の占有する第３時間ウィンドウの時間長さは２ｍｓのみであり、即ち、実際に伝送するＳＳＢのネットワークによる実現は前の２ｍｓのみに現れる場合、前記２ｍｓの後に２ｍｓの第４時間ウィンドウを１つ増設してもよい。
【００５１】
尚、端末が追加された時間ウィンドウ内において伝送されるＳＳＢに基づいて精確なフレームタイミングを取得できるようにするために、ネットワーク装置は更に、追加された時間ウィンドウ内において伝送されるＳＳＢの、所定位置に対しての時間オフセットを端末に知らせる必要がある。
【００５２】
所定位置に対しての前記時間オフセットは、第１ＳＳＢ伝送ウィンドウの所在する半フレーム開始位置に対しての時間オフセット、又は、既存の、同じ番号を有するＳＳＢの時間位置に対しての時間オフセットを含んでもよい。例えば、上記の例では、第１ＳＳＢ伝送ウィンドウの所在する半フレーム開始位置に対しての時間オフセットは２ｍｓである。
【００５３】
好ましくは、ＳＳＢにおけるＰＢＣＨにおける予約されたビットを利用して前記時間オフセットを指示してもよい。例えば、１ビットを採用して、ａ）時間オフセットがない、ｂ）２ｍｓの時間オフセットという２つの状態を指示し、又は、２ビットを採用して、ａ）時間オフセットがない、ｂ）１ｍｓの時間オフセット、ｃ）２ｍｓの時間オフセット、ｄ）３ｍｓの時間オフセットという４つの状態を指示してもよい。
【００５４】
尚、ＳＳＢを伝送するための時間ウィンドウを追加する前に、ネットワーク装置は更に、ＳＳＢを伝送するための時間ウィンドウを追加する必要があるかどうかをまず決定してもよく、イエスである場合、ＳＳＢを伝送するための時間ウィンドウを追加し、そして、決定結果がイエスかノーかに関わらず、いずれも端末に知らせる必要があり、例えば、ネットワーク装置はブロードキャスト情報を介して端末に知らせてもよい。
【００５５】
ネットワーク装置は現在のチャネル負荷状況に基づいて、ＳＳＢを伝送するための時間ウィンドウを追加する必要があるかどうかを決定してもよい。例えば、ネットワーク装置は一定時間のチャネルリッスン情況に基づいて、該一定時間のチャネルリッスンの成功率が比較的に高いと知れば、キャリア上のシステム負荷が比較的に低いと判定でき、そうすると、第２時間ウィンドウ又は第４時間ウィンドウを追加しなくてもよく、逆に、該一定時間のチャネルリッスンの成功率が比較的に低い場合、キャリア上のシステム負荷が比較的に高いと判定でき、そうすると、第２時間ウィンドウ又は第４時間ウィンドウを追加する。
【００５６】
以上は方法実施例に関する説明であり、以下は装置実施例を通して、本発明に記載の案を更に説明する。
【００５７】
図６は、本発明に記載のネットワーク装置の実施例の構成構造の模式図である。図６に示すように、拡張ユニット６０１及び伝送ユニット６０２を備える。
【００５８】
拡張ユニット６０１は、アンライセンス帯域においてＳＳＢを伝送する必要がある場合、ＳＳＢを伝送するための時間ウィンドウを追加することに用いられる。
【００５９】
伝送ユニット６０２は、追加後の時間ウィンドウに基づいてＳＳＢの伝送を行うことに用いられる。
【００６０】
具体的に、拡張ユニット６０１は、元の所定時間長さの第１ＳＳＢ伝送ウィンドウの上に、同じ時間長さの第２ＳＳＢ伝送ウィンドウを１つ追加してもよい。
【００６１】
第１ＳＳＢ伝送ウィンドウと第２ＳＳＢ伝送ウィンドウは同一の無線フレームに位置してもよく、そしてそれぞれ無線フレームにおける異なる半フレームに位置する。又は、第１ＳＳＢ伝送ウィンドウと第２ＳＳＢ伝送ウィンドウは隣接する２つの無線フレームに位置し、且つ、隣接する２つの半フレームに位置する。好ましくは、第１ＳＳＢ伝送ウィンドウ及び第２ＳＳＢ伝送ウィンドウに現れた、同じ番号を有するＳＳＢの半フレーム指示は異なる。
【００６２】
尚、第１ＳＳＢ伝送ウィンドウと第２ＳＳＢ伝送ウィンドウ内のＳＳＢ候補伝送位置分布は一致し、及び／又は、第１ＳＳＢ伝送ウィンドウと第２ＳＳＢ伝送ウィンドウ内のＳＳＢ実際伝送位置分布は一致する。
【００６３】
又は、拡張ユニット６０１は更に、元の所定時間長さの第１ＳＳＢ伝送ウィンドウ内において、ＳＳＢを伝送する時間ウィンドウを追加してもよい。
【００６４】
例えば、ＳＳＢ候補伝送位置の占有する第１時間ウィンドウの時間長さが第１ＳＳＢ伝送ウィンドウの時間長さの１／２以下であれば、拡張ユニット６０１は、第１時間ウィンドウの後に、第１時間ウィンドウの時間長さと同じの第２時間ウィンドウを１つ増設してもよい。
【００６５】
第２時間ウィンドウと第１時間ウィンドウ内のＳＳＢ候補伝送位置分布は一致し、及び／又は、第２時間ウィンドウと第１時間ウィンドウ内のＳＳＢ実際伝送位置分布は一致する。
【００６６】
更に例えば、ＳＳＢ候補伝送位置の占有する第１時間ウィンドウの時間長さは第１ＳＳＢ伝送ウィンドウの時間長さの１／２より大きく、しかし、ＳＳＢ実際伝送位置の占有する第３時間ウィンドウの時間長さは第１ＳＳＢ伝送ウィンドウの時間長さの１／２以下である場合、拡張ユニット６０１は、第３時間ウィンドウの後に、第３時間ウィンドウの時間長さと同じの第４時間ウィンドウを１つ増設してもよい。
【００６７】
第３時間ウィンドウと第４時間ウィンドウ内のＳＳＢ候補伝送位置分布は一致し、及び／又は、第３時間ウィンドウと第４時間ウィンドウ内のＳＳＢ実際伝送位置分布は一致する。
【００６８】
伝送ユニット６０２は更に、追加された時間ウィンドウ内において伝送されるＳＳＢの、所定位置に対しての時間オフセットを端末に知らせて、端末がＳＳＢに基づいて精確なフレームタイミングを取得するようにする必要がある。
【００６９】
所定位置に対しての時間オフセットは、第１ＳＳＢ伝送ウィンドウの所在する半フレーム開始位置に対しての時間オフセット、又は、同じ番号を有するＳＳＢの時間位置に対しての時間オフセットを含んでもよい。
【００７０】
伝送ユニット６０２は、ＳＳＢにおけるＰＢＣＨにおける予約されたビットを利用して時間オフセットを指示してもよい。
【００７１】
尚、実際の応用では、拡張ユニット６０１は更に、ＳＳＢを伝送するための時間ウィンドウを追加する必要があるかどうかをまず決定してもよく、イエスである場合、ＳＳＢを伝送するための時間ウィンドウを追加し、そして端末に知らせる。
【００７２】
例えば、拡張ユニット６０１は、現在のチャネル負荷状況に基づいて、ＳＳＢを伝送するための時間ウィンドウを追加する必要があるかどうかを決定してもよい。
【００７３】
伝送ユニット６０２は、既存のＬＢＴメカニズムに基づいて、追加後の時間ウィンドウに基づいてＳＳＢの伝送を行ってもよい。
【００７４】
図７は、本発明に記載の端末装置の実施例の構成構造の模式図である。図７に示すように、受信ユニット７０１を備える。
【００７５】
受信ユニット７０１は、ネットワーク側により追加された、ＳＳＢを伝送するための時間ウィンドウに基づいて、ＳＳＢの受信を行うことに用いられる。
【００７６】
前記追加は、元の所定時間長さの第１ＳＳＢ伝送ウィンドウの上に、所定時間長さの第２ＳＳＢ伝送ウィンドウを１つ追加することを含んでもよい。
【００７７】
第１ＳＳＢ伝送ウィンドウと第２ＳＳＢ伝送ウィンドウは同一の無線フレームに位置してもよく、そしてそれぞれ無線フレームにおける異なる半フレームに位置する。又は、第１ＳＳＢ伝送ウィンドウと第２ＳＳＢ伝送ウィンドウは隣接する２つの無線フレームに位置し、且つ、隣接する２つの半フレームに位置する。好ましくは、第１ＳＳＢ伝送ウィンドウ及び第２ＳＳＢ伝送ウィンドウに現れた、同じ番号を有するＳＳＢの半フレーム指示は異なる。
【００７８】
尚、第１ＳＳＢ伝送ウィンドウと第２ＳＳＢ伝送ウィンドウ内のＳＳＢ候補伝送位置分布は一致し、及び／又は、第１ＳＳＢ伝送ウィンドウと第２ＳＳＢ伝送ウィンドウ内のＳＳＢ実際伝送位置分布は一致する。
【００７９】
第１ＳＳＢ伝送ウィンドウと第２ＳＳＢ伝送ウィンドウ内のＳＳＢ実際伝送位置分布が一致する場合、受信ユニット７０１は、ネットワーク側がＲＭＳＩ又はＲＲＣシグナリングを介して知らせた第１ＳＳＢ伝送ウィンドウ内のＳＳＢ実際伝送位置に基づいて、第２ＳＳＢ伝送ウィンドウ内のＳＳＢ実際伝送位置を知ることができる。
【００８０】
又は、前記追加は更に、元の所定時間長さの第１ＳＳＢ伝送ウィンドウ内において、ＳＳＢを伝送する時間ウィンドウを追加することを含んでもよい。
【００８１】
このような場合、受信ユニット７０１は更に、ネットワーク側に知らせた、追加された時間ウィンドウ内において伝送されるＳＳＢの、所定位置に対しての時間オフセットを取得する必要があり、それによって、精確なフレームタイミングを取得する。所定位置に対しての時間オフセットは、第１ＳＳＢ伝送ウィンドウの所在する半フレーム開始位置に対しての時間オフセット、又は、同じ番号を有するＳＳＢの時間位置に対しての時間オフセットを含んでもよい。
【００８２】
尚、図７に示すように、端末装置は更に、取得ユニット７００を備えてもよい。
【００８３】
取得ユニット７００は、ネットワーク側がＳＳＢを伝送するための時間ウィンドウを追加する必要があるかどうかを決定した後に知らせた決定結果を取得することに用いられ、決定結果がイエスである場合、受信ユニット７０１は追加後の時間ウィンドウに基づいてＳＳＢの受信を行ってもよく、決定結果がノーである場合、受信ユニット７０１は元の時間ウィンドウに基づいてＳＳＢの受信を行ってもよい。
【００８４】
図６及び図７に示す装置実施例の具体的な動作フローについては、前述の方法実施例での相応的な説明を参照でき、ここでは繰り返し説明しない。
【００８５】
要するに、上記装置実施例に記載の案では、ＳＳＢを伝送するための時間ウィンドウを追加することによって、ＳＳＢの伝送チャンスを増やし、これにより、ＳＳＢの伝送成功率等を向上させる。
【００８６】
図８は本発明の実施形態を実現することに適用される、例示的なコンピュータシステム／サーバ１２のブロック図を示す。図８に示すコンピュータシステム／サーバ１２は単に例示的なものであり、本発明実施例の機能と使用範囲に如何なる制限ももたらさない。
【００８７】
図８に示すように、コンピュータシステム／サーバ１２は汎用計算装置の形で現れる。コンピュータシステム／サーバ１２の構成要素は、１つ又は複数のプロセッサ（処理ユニット）１６、メモリ２８、異なるシステムコンポーネント（メモリ２８とプロセッサ１６を含む）を繋げるバス１８を含んでもよいが、これには限らない。
【００８８】
バス１８は、メモリバス又はメモリコントローラ、周辺バス、グラフィックアクセラレータポート、プロセッサ、又は複数のバス構造のうちの任意のバス構造を使用するローカルバスを含む、幾つかの種類のバス構造のうちの１つ又は複数を表す。例えば、これらのアーキテクチャには、産業標準アーキテクチャ（ＩＳＡ）バス、マイクロチャネルアーキテクチャ（ＭＡＣ）バス、拡張ＩＳＡバス、ビデオ電子規格協会（ＶＥＳＡ）ローカルバス、周辺コンポーネント相互接続（ＰＣＩ）バスが含まれるが、これらに限られない。
【００８９】
コンピュータシステム／サーバ１２は、典型的に、複数種類のコンピュータシステム可読媒体を含む。これらの媒体は、揮発性及び不揮発性の媒体、リムーバブル及び非リムーバブルの媒体を含む、コンピュータシステム／サーバ１２がアクセスできる任意の利用可能な媒体であってもよい。
【００９０】
メモリ２８は揮発性メモリ形式のコンピュータシステム可読媒体、例えば、ランダムアクセスメモリ（ＲＡＭ）３０及び／又はキャッシュメモリ３２を含んでもよい。コンピュータシステム／サーバ１２は更に他のリムーバブル／非リムーバブルの、揮発性／不揮発性コンピュータシステム記憶媒体を含んでもよい。単に例として、ストレージシステム３４は、非リムーバブルの、不揮発性磁気媒体（図８には示されていないが、通常「ハードディスクドライブ」と呼ばれる）を読み書きすることに用いられてもよい。図８には示されていないが、リムーバブル不揮発性磁気ディスク（例えば「フロッピーディスク」）に読み書きするための磁気ディスクドライブ、及びリムーバブル不揮発性光ディスク（例えばＣＤ−ＲＯＭ、ＤＶＤ−ＲＯＭ又は他の光媒体）に読み書きするための光ディスクドライブが提供されてもよい。これらの場合、各ドライブは、１つ又は複数のデータ媒体インターフェースを介してバス１８に接続されてもよい。メモリ２８は、本発明各実施例の機能を実行するために設定された１セット（例えば、少なくとも１つ）のプログラムモジュールを有する少なくとも１つのプログラム製品を含んでもよい。
【００９１】
１セット（例えば、少なくとも１つ）のプログラムモジュール４２を有するプログラム／ユーティリティ４０は、例えば、メモリ２８に記憶されてもよく、このようなプログラムモジュール４２は、オペレーティングシステム、１つ又は複数のアプリケーションプログラム、その他のプログラムモジュール、及びプログラムデータを含むが、これらに限らず、これらの例のうちのそれぞれ、又はその何らかの組み合わせにはネットワーク環境の実現が含まれる可能性がある。プログラムモジュール４２は通常、本発明に記載の実施例における機能及び／又は方法を実行する。
【００９２】
コンピュータシステム／サーバ１２はまた、１つ又は複数の外部装置１４（例えばキーボード、ポインティングデバイス、ディスプレイ２４等）と通信してもよく、更にユーザが該コンピュータシステム／サーバ１２と対話できるようにする１つ又は複数の装置と通信し、及び／又は該コンピュータシステム／サーバ１２が１つ又は複数の他の計算装置と通信できるようにする如何なる装置（例えばネットワークカード、モデム等）と通信してもよい。このような通信は入力／出力（Ｉ／Ｏ）インタフェース２２を介して行われてもよい。そして、コンピュータシステム／サーバ１２は更にネットワークアダプタ２０を介して１つ又は複数のネットワーク（例えば、ローカルエリアネットワーク（ＬＡＮ）、ワイドエリアネットワーク（ＷＡＮ）及び／又はパブリックネットワーク、例えば、インターネット）と通信してもよい。図８に示すように、ネットワークアダプタ２０はバス１８を介してコンピュータシステム／サーバ１２の他のモジュールと通信する。理解されるように、図には示されていないが、コンピュータシステム／サーバ１２と組み合わせて他のハードウェア及び／又はソフトウェアモジュールが使用されてもよく、該ハードウェア及び／又はソフトウェアモジュールは、マイクロコード、デバイスドライバ、冗長処理ユニット、外部ディスクドライブアレイ、ＲＡＩＤシステム、テープドライブ、及びデータバックアップストレージシステム等を含むが、これらに限らない。
【００９３】
プロセッサ１６はメモリ２８に記憶されたプログラムを実行することによって、様々な機能アプリケーション及びデータ処理を実行し、例えば、図３に示す実施例における方法を実現する。
【００９４】
本発明は同時にコンピュータ可読記憶媒体を開示し、該コンピュータ可読記憶媒体にはコンピュータプログラムが記憶され、該プログラムがプロセッサによって実行される時、図３に示す実施例における方法が実現される。
【００９５】
１つ又は複数のコンピュータ可読媒体の任意の組み合わせが採用されてもよい。コンピュータ可読媒体はコンピュータ可読信号媒体又はコンピュータ可読記憶媒体であってもよい。コンピュータ可読記憶媒体は、例えば、電子、磁気、光、電磁気、赤外線、又は半導体のシステム、装置又はデバイス、又は上記の任意の組み合わせであってもよいが、これらには限らない。コンピュータ可読記憶媒体のより具体的な例（非網羅的リスト）は、１つまたは複数のリード線を有する電気的接続、ポータブルコンピュータ磁気ディスク、ハードディスク、ランダムアクセスメモリ（ＲＡＭ）、読み取り専用メモリ（ＲＯＭ）、消去可能プログラマブル読み取り専用メモリ（ＥＰＲＯＭ又はフラッシュメモリ）、光ファイバ、ポータブルコンパクト磁気ディスク読み取り専用メモリ（ＣＤ−ＲＯＭ）、光記憶装置、磁気記憶装置、又は上記の任意の適切な組合せを含む。本明細書においてコンピュータ可読記憶媒体はプログラムを含む又は記憶する如何なる有形媒体であってもよく、該プログラムは命令実行システム、装置又はデバイスによって使用されること、又はそれらと組み合わせて使用することができる。
【００９６】
コンピュータ可読信号媒体は、ベースバンドにおいて伝播される、又はキャリアの一部として伝播されるデータ信号を含んでもよく、そこにおいてコンピュータ可読プログラムコードが運ばれる。その伝播されるデータ信号は、電磁信号、光信号、又は上記の任意の適切な組合せを含むがそれには限らない複数の形式を採用してもよい。ピュータ可読信号媒体は更にコンピュータ可読記憶媒体以外の如何なるコンピュータ可読媒体であってもよく、該コンピュータ可読媒体は、命令実行システム、装置、又はデバイスによって使用される又はそれと組み合わせて使用するためのプログラムを送信、伝播又は伝送できる。
【００９７】
コンピュータ可読媒体に含まれるプログラムコードは、無線、電線、光ケーブル、ＲＦ等、又は上記の任意の適切な組み合わせを含むがそれらに限らない、任意の適切な媒体で伝送されてもよい。
【００９８】
１つ又は複数のプログラム設計言語又はその組み合わせで、本発明の動作を実行するためのコンピュータプログラムコードを記述してもよく、前記プログラム設計言語は、  オブジェクト指向のプログラム設計言語、例えば、Ｊａｖａ、Ｓｍａｌｌｔａｌｋ、Ｃ＋＋等を含み、更に従来のプロセスプログラム設計言語、例えば、「Ｃ」言語又はそれに類似するプログラム設計言語等を含む。プログラムコードは完全にユーザコンピュータにおいて実行されても、部分的にユーザコンピュータにおいて実行されても、独立したソフトウェアパッケージとして実行されても、一部はユーザコンピュータにおいて一部はリモートコンピュータにおいて実行されても、又は完全にリモートコンピュータ又はサーバにおいて実行されてもよい。リモートコンピュータが関係する場合、リモートコンピュータは、ローカルエリアネットワーク（ＬＡＮ）又はワイドエリアネットワーク（ＷＡＮ）を含む任意種類のネットワークを介してユーザコンピュータに接続されてもよく、又は、外部コンピュータに接続（例えばインターネットサービスプロバイダを利用してインターネットを介して接続）されてもよい。
【００９９】
本発明で提供する幾つかの実施例において、理解されるように、開示される装置及び方法等は、他の方式で実現されてもよい。例えば、上記に記載の装置実施例は単に模式的なものであり、例えば、前記ユニットの区分は論理的な機能区分に過ぎず、実際の実施では他の区分方式があってもよい。
【０１００】
分離部材として説明された前記ユニットは物理的に分離したものであってもでなくてもよく、ユニットとして表示される部材は物理ユニットであってもでなくてもよく、即ち、一箇所に位置してもよく、又は複数のネットワークユニットに分散されてもよい。実際の需要に応じてその一部又は全部のユニットを選択して、本実施例案の目的を実現してもよい。
【０１０１】
また、本発明の各実施例における各機能ユニットは１つの処理ユニットに集積されてもよく、各ユニットは独立して物理的に存在してもよく、２つ以上のユニットが１つのユニットに集積されてもよい。上記の集積ユニットはハードウェアの形で実現されてもよく、ハードウェア＋ソフトウェア機能ユニットの形で実現されてもよい。
【０１０２】
上記の、ソフトウェア機能ユニットの形で実現される集積ユニットは、コンピュータ可読記憶媒体に記憶されてもよい。上記ソフトウェア機能ユニットは、記憶媒体に記憶され、１台のコンピュータ装置（パーソナルコンピュータ、サーバ、又はネットワーク装置等であってもよい）又はプロセッサ（ｐｒｏｃｅｓｓｏｒ）に、本発明の各実施例に記載の方法の一部ステップを実行させるための若干の命令を含む。前述の記憶媒体は、ＵＳＢディスク、リムーバブルハードディスク、読み出し専用メモリ（ＲＯＭ）、ランダムアクセスメモリ（ＲＡＭ）、磁気ディスク又は光ディスク等、プログラムコードを記憶できる各種の媒体を含む。
【０１０３】
以上は本発明の比較的に良い実施例に過ぎず、本発明を制限するためのものではない。本発明の精神及び原則内において行われた全ての修正、同等な代替、改善等は、いずれも本発明の保護する範囲に含まれるべきである。
【図１】
2021519009.tif 000003
【図２】
2021519009.tif 000004
【図３】
2021519009.tif 000005
【図４】
2021519009.tif 000006
【図５】
2021519009.tif 000007
【図６】
2021519009.tif 000008
【図７】
2021519009.tif 000009
【図８】
2021519009.tif 000010
【手続補正書】
【提出日】令和3年2月3日(2021.2.3)
【手続補正１】
【補正対象書類名】特許請求の範囲
【補正対象項目名】全文
【補正方法】変更
【補正の内容】
【特許請求の範囲】
【請求項１】
同期信号ブロックの伝送方法であって、
アンライセンス帯域において同期信号ブロック（ＳＳＢ）を伝送する必要がある場合、前記ＳＳＢを伝送するための時間ウィンドウを追加することと、
追加後の時間ウィンドウに基づいてＳＳＢの伝送を行うことと、を含むことを特徴とする同期信号ブロックの伝送方法。
【請求項２】
前記ＳＳＢを伝送するための時間ウィンドウを追加することは、
元の所定時間長さの第１ＳＳＢ伝送ウィンドウの上に、前記所定時間長さの第２ＳＳＢ伝送ウィンドウを１つ追加することを含むことを特徴とする請求項１に記載の方法。
【請求項３】
前記第１ＳＳＢ伝送ウィンドウと前記第２ＳＳＢ伝送ウィンドウ内のＳＳＢ候補伝送位置分布は一致し、
及び／又は、前記第１ＳＳＢ伝送ウィンドウと前記第２ＳＳＢ伝送ウィンドウ内のＳＳＢ実際伝送位置分布は一致することを特徴とする請求項２に記載の方法。
【請求項４】
同期信号ブロックの伝送方法であって、
端末が、ネットワーク側により追加された、同期信号ブロック（ＳＳＢ）を伝送するための時間ウィンドウに基づいて、ＳＳＢの受信を行うことを含むことを特徴とする同期信号ブロックの伝送方法。
【請求項５】
前記追加は、元の所定時間長さの第１ＳＳＢ伝送ウィンドウの上に、前記所定時間長さの第２ＳＳＢ伝送ウィンドウを１つ追加することを含むことを特徴とする請求項４に記載の方法。
【請求項６】
前記第１ＳＳＢ伝送ウィンドウと前記第２ＳＳＢ伝送ウィンドウ内のＳＳＢ候補伝送位置分布は一致し、
及び／又は、前記第１ＳＳＢ伝送ウィンドウと前記第２ＳＳＢ伝送ウィンドウ内のＳＳＢ実際伝送位置分布は一致することを特徴とする請求項５に記載の方法。
【請求項７】
該方法は更に、前記第１ＳＳＢ伝送ウィンドウと前記第２ＳＳＢ伝送ウィンドウ内のＳＳＢ実際伝送位置分布が一致する場合、前記端末が、ネットワーク側が残り最小システム情報（ＲＭＳＩ）又は無線リソース制御（ＲＲＣ）シグナリングを介して知らせた前記第１ＳＳＢ伝送ウィンドウ内のＳＳＢ実際伝送位置に基づいて、前記第２ＳＳＢ伝送ウィンドウ内のＳＳＢ実際伝送位置を知ることを含むことを特徴とする請求項６に記載の方法。
【請求項８】
ネットワーク装置であって、拡張ユニット及び伝送ユニットを備え、
前記拡張ユニットは、アンライセンス帯域において同期信号ブロック（ＳＳＢ）を伝送する必要がある場合、前記ＳＳＢを伝送するための時間ウィンドウを追加することに用いられ、
前記伝送ユニットは、追加後の時間ウィンドウに基づいてＳＳＢの伝送を行うことに用いられることを特徴とするネットワーク装置。
【請求項９】
前記拡張ユニットは、元の所定時間長さの第１ＳＳＢ伝送ウィンドウの上に、前記所定時間長さの第２ＳＳＢ伝送ウィンドウを１つ追加することを特徴とする請求項８に記載のネットワーク装置。
【請求項１０】
前記第１ＳＳＢ伝送ウィンドウと前記第２ＳＳＢ伝送ウィンドウ内のＳＳＢ候補伝送位置分布は一致し、
及び／又は、前記第１ＳＳＢ伝送ウィンドウと前記第２ＳＳＢ伝送ウィンドウ内のＳＳＢ実際伝送位置分布は一致することを特徴とする請求項９に記載のネットワーク装置。
【請求項１１】
前記拡張ユニットは、元の所定時間長さの第１ＳＳＢ伝送ウィンドウ内において、前記ＳＳＢを伝送する時間ウィンドウを追加することを特徴とする請求項８に記載のネットワーク装置。
【請求項１２】
ＳＳＢ候補伝送位置の占有する第１時間ウィンドウの時間長さが前記第１ＳＳＢ伝送ウィンドウの時間長さの１／２以下であれば、前記拡張ユニットは、前記第１時間ウィンドウの後に、前記第１時間ウィンドウの時間長さと同じの第２時間ウィンドウを１つ増設し、
前記第２時間ウィンドウと前記第１時間ウィンドウ内のＳＳＢ候補伝送位置分布は一致し、
及び／又は、前記第２時間ウィンドウと前記第１時間ウィンドウ内のＳＳＢ実際伝送位置分布は一致することを特徴とする請求項１１に記載のネットワーク装置。
【請求項１３】
ＳＳＢ候補伝送位置の占有する第１時間ウィンドウの時間長さは前記第１ＳＳＢ伝送ウィンドウの時間長さの１／２より大きく、しかし、ＳＳＢ実際伝送位置の占有する第３時間ウィンドウの時間長さは前記第１ＳＳＢ伝送ウィンドウの時間長さの１／２以下である場合、前記拡張ユニットは、前記第３時間ウィンドウの後に、前記第３時間ウィンドウの時間長さと同じの第４時間ウィンドウを１つ増設し、
前記第３時間ウィンドウと前記第４時間ウィンドウ内のＳＳＢ候補伝送位置分布は一致し、
及び／又は、前記第３時間ウィンドウと前記第４時間ウィンドウ内のＳＳＢ実際伝送位置分布は一致することを特徴とする請求項１１に記載のネットワーク装置。
【請求項１４】
前記伝送ユニットは更に、追加された前記時間ウィンドウ内において伝送されるＳＳＢの、所定位置に対しての時間オフセットを端末に知らせることに用いられ、
前記所定位置に対しての時間オフセットは、
前記第１ＳＳＢ伝送ウィンドウの所在する半フレーム開始位置に対しての時間オフセット、
又は、同じ番号を有するＳＳＢの時間位置に対しての時間オフセットを含むことを特徴とする請求項１１に記載のネットワーク装置。
【請求項１５】
端末装置であって、受信ユニットを備え、
前記受信ユニットは、ネットワーク側により追加された、同期信号ブロック（ＳＳＢ）を伝送するための時間ウィンドウに基づいて、ＳＳＢの受信を行うことに用いられることを特徴とする端末装置。
【請求項１６】
前記追加は、元の所定時間長さの第１ＳＳＢ伝送ウィンドウの上に、前記所定時間長さの第２ＳＳＢ伝送ウィンドウを１つ追加することを含むことを特徴とする請求項１５に記載の端末装置。
【請求項１７】
前記第１ＳＳＢ伝送ウィンドウと前記第２ＳＳＢ伝送ウィンドウは同一の無線フレームに位置し、そしてそれぞれ前記無線フレームにおける異なる半フレームに位置し、
又は、前記第１ＳＳＢ伝送ウィンドウと前記第２ＳＳＢ伝送ウィンドウは隣接する２つの無線フレームに位置し、且つ隣接する２つの半フレームに位置することを特徴とする請求項１６に記載の端末装置。
【請求項１８】
前記追加は、元の所定時間長さの第１ＳＳＢ伝送ウィンドウ内において、前記ＳＳＢを伝送する時間ウィンドウを追加することを含むことを特徴とする請求項１５に記載の端末装置。
【請求項１９】
前記受信ユニットは更に、ネットワーク側に知らせた、追加された前記時間ウィンドウ内において伝送されるＳＳＢの、所定位置に対しての時間オフセットを取得することに用いられ、
前記所定位置に対しての時間オフセットは、
前記第１ＳＳＢ伝送ウィンドウの所在する半フレーム開始位置に対しての時間オフセット、
又は、同じ番号を有するＳＳＢの時間位置に対しての時間オフセットを含むことを特徴とする請求項１８に記載の端末装置。
【請求項２０】
前記端末装置は更に、取得ユニットを備え、
前記取得ユニットは、ネットワーク側が前記ＳＳＢを伝送するための時間ウィンドウを追加する必要があるかどうかを決定した後に知らせた決定結果を取得することに用いられ、
決定結果がイエスである場合、前記受信ユニットは、追加後の時間ウィンドウに基づいてＳＳＢの受信を行い、
決定結果がノーである場合、前記受信ユニットは、元の時間ウィンドウに基づいてＳＳＢの受信を行うことを特徴とする請求項１５に記載の端末装置。
【国際調査報告】
2021519009.tif 000011
2021519009.tif 000012
2021519009.tif 000013
2021519009.tif 000014